(57)【要約】  本発明は、とりわけ、（１）対象者の身体の一部分に埋め込まれ且つ第一のアンテナを有しているセンサーと、（２）センサー読み取り装置であり、前記対象者の身体の一部分に装着され且つ前記センサーと通信できるように前記第一のアンテナと誘導結合されている第二のアンテナを収容しているバンドハウジングを有している前記センサー読み取り装置と、を有しているセンサー装置を提供している。
2008511257.tif 000002
【特許請求の範囲】
【請求項１】
対象者の体内に埋め込まれるセンサーであり、
対象者の１以上の特性を測定する構造とされ且つセンサー用アンテナを含んでいるセンサーと、
当該埋め込まれたセンサーに電力を供給し及び／又は通信するセンサー読み取り装置であり、前記対象者によって装着され且つ（ｉ）電子回路を収納している読み取り装置ハウジングと、（ｉｉ）前記センサー用アンテナと結合するための読み取り装置用アンテナとを含んでおり、当該読み取り装置用アンテナは、前記電子回路に電気的に接続されており、前記対象者の身体の一部の周囲に巻き付けて、前記センサー読み取り装置が当該センサーに電力を供給し及び／又は当該センサーと通信する間、当該センサー読み取り装置によって使用されるようになされている前記センサー読み取り装置と、を含んでいるセンサー装置。
【請求項２】
請求項１に記載のセンサーであり、
前記センサー読み取り装置が、当該センサー読み取り装置を対象者に取り外し可能に取り付けるためのバンドを更に含んでいるセンサー。
【請求項３】
請求項２に記載のセンサーであり、
前記読み取り装置用アンテナが前記バンド内に設けられているセンサー。
【請求項４】
請求項３に記載のセンサーであり、
前記読み取り装置用アンテナが第一の部分と第二の部分とを含んでおり、前記読み取り装置用アンテナの第一の部分が前記バンドの第一の部分に配置され、前記読み取り装置用アンテナの第二の部分が前記バンドの第二の部分に配置されているセンサー。
【請求項５】
請求項４に記載のセンサーであり、
前記バンドの第一の部分と第二の部分とが別個の部分であり、これらの部分の各々が前記読み取り装置ハウジングに結合されているセンサー。
【請求項６】
請求項４に記載のセンサーであり、
前記バンドが単一のバンドであり、前記読み取り装置ハウジングが、前記読み取り装置用アンテナの第一の部分と前記読み取り装置用アンテナの第二の部分との間の位置で前記バンドに結合されているセンサー。
【請求項７】
請求項４に記載のセンサーであり、
前記アンテナの第一の部分が、前記バンドの第一の部分の端部に隣接して配置されている第一の接点に電気的に接続されており、前記アンテナの第二の部分が複数の同調部材に電気的に接続されているセンサー。
【請求項８】
請求項７に記載のセンサーであり、
前記同調部材の各々が、容量性及び／又は誘導性の部材を含んでいるセンサー。
【請求項９】
請求項８に記載のセンサーであり、
前記容量性の部材が少なくとも１つのコンデンサを含んでおり、前記誘導性の部材が少なくとも１つのインダクタを含んでいるセンサー。
【請求項１０】
請求項８に記載のセンサーであり、
前記誘導性の部材が、前記読み取り装置用アンテナに電気的に接続されている導体に隣接し及び／又は当該導体を包囲しているフェライトを含んでいるセンサー。
【請求項１１】
請求項８に記載のセンサーであり、
前記容量性の同調部材が種々のキャパシタンス値を有しており且つ／又は前記誘導性の同調部材が種々のインダクタンス値を有しているセンサー。
【請求項１２】
請求項７に記載のセンサーであり、
前記同調部材の各々が、前記第一の接点に解除可能にかみ合うことができる第二の接点に関連付けられていて、前記アンテナの第一の部分を前記アンテナの第二の部分に電気的に接続することによって前記読み取り装置用アンテナを完成させるようになされているセンサー。
【請求項１３】
請求項１２に記載のセンサーであり、
前記各接点が雄型又は雌型の接点であるセンサー。
【請求項１４】
請求項１３に記載のセンサーであり、
前記各接点がスナップの雄型又は雌型の半体であるセンサー。
【請求項１５】
請求項２に記載のセンサーであり、
前記バンドが、前記読み取り装置のハウジング及び／又は読み取り装置の電子回路と一体化されているセンサー。
【請求項１６】
請求項２に記載のセンサーであり、
前記読み取り装置用アンテナが、前記バンドの第一の端縁に沿って延びている主要導体を含んでいるセンサー。
【請求項１７】
請求項２に記載のセンサーであり、
前記読み取り装置用アンテナが、前記第一の主要導体とほぼ平行であるように配置されている第二の主要導体を更に含んでおり、当該第二の主要導体が前記バンドの第二の端縁に沿って延びているセンサー。
【請求項１８】
請求項１７に記載のセンサーであり、
前記互いに平行な主要導体同士が、それらの長さに沿った１以上の位置で１以上の横方向導体によって電気的に接続されているセンサー。
【請求項１９】
請求項１８に記載のセンサーであり、
前記読み取り装置用アンテナが、前記主要導体のうちのいずれよりも断面積が小さく且つ主要導体間に配置され且つ各主要導体に電気的に接続されている少なくとも１つの補助導体を更に含んでいるセンサー。
【請求項２０】
請求項２に記載のセンサーであり、
前記読み取り装置用アンテナが前記バンド内に配置されており、
前記読み取り装置ハウジングが更に第一の接点を含んでおり、
前記バンドは、前記センサー読み取り装置を対象者に取り外し可能に取り付けるために第一の接点と取り外し可能にかみ合い可能である第二の接点を含んでいるセンサー。
【請求項２１】
請求項１に記載のセンサーであり、
前記読み取り装置用アンテナが、その上に回路が設けられている可撓性の誘電基板を含んでいるセンサー。
【請求項２２】
請求項２１に記載のセンサーであり、
前記回路が、前記基板の第一の側縁に沿って当該基板の第一の領域から第二の領域まで延びている第一の細長い導体を含んでいるセンサー。
【請求項２３】
請求項２２に記載のセンサーであり、
前記回路が、前記基板の第二の側縁に沿って当該基板の第三の領域から第四の領域まで延びている第二の細長い導体を更に含んでおり、前記第二の側縁は前記第一の側縁と反対側であり、前記第一及び第二の細長い導体は互いに電気的に接続されており、前記第一及び第三の領域が前記基板の第一の端部に隣接しているセンサー。
【請求項２４】
請求項２３に記載のセンサーであり、
前記回路が更に、前記第一の細長い導体と接触している第一の端部と、前記第二の細長い導体と接触している第二の端部とを有していて、それにより前記第一の細長い導体を前記第二の細長い導体に電気的に接続するようになされているセンサー。
【請求項２５】
請求項２３に記載のセンサーであり、
前記回路が更に、前記第一の細長い導体に電気的に直列に接続されている同調部材と、前記リストバンドを対象者の手首の周りに固定する際に使用されるかみ合い接点とを更に含んでいるセンサー。
【請求項２６】
センサー読み取り装置であり、
バンドと、
当該バンドに取り付けられ且つ電子回路を囲繞しているハウジングとを含み、
前記バンドは、前記アンテナを前記電子回路に電気的に接続しているアンテナを囲繞しており、
前記アンテナは、第一の回路と第二の回路とを含んでおり、
前記第一の回路は、第一の接点に電気的に接続されており、
前記第二の回路は、少なくとも２つの同調部材に電気的に接続されており、
前記少なくとも２つの同調部材の各々は、前記第一の接点とかみ合う構造とされた第二の接点に電気的に接続されており、
前記第一の回路は、前記バンドの第一の側縁に沿って延びている第一の細長い導電体を含んでいるセンサー読み取り装置。
【請求項２７】
請求項２６に記載のセンサー読み取り装置であり、
前記アンテナが更に可撓性の誘電基板を更に含んでおり、
前記第一の回路が当該誘電基板の第一の部分上に設けられており、
前記第二の回路が当該誘電基板の第二の部分上に設けられているセンサー読み取り装置。
【請求項２８】
請求項２６に記載のセンサー読み取り装置であり、
前記第一の回路は更に、
前記バンドの第二の側縁に沿って延びている第二の細長い導電体と、
前記第一の細長い導電体に接続された第一の端部と前記第二の細長い導電体に接続された第二の端部とを有している第一の横方向導電体と、
前記第一の細長い導電体に接続された第一の端部と前記第二の細長い導電体に接続された第二の端部とを有している第二の横方向導電体と、を更に含んでいるセンサー読み取り装置。
【請求項２９】
請求項２８に記載のセンサー読み取り装置であり、
前記第一及び第二の細長い導電体が、互いにほぼ平行であり且つ長さがほぼ等しいセンサー読み取り装置。
【請求項３０】
請求項２９に記載のセンサー読み取り装置であり、
前記横方向導電体が互いに隔置されており且つ前記細長い導電体に対してほぼ直角であるセンサー読み取り装置。
【請求項３１】
請求項３０に記載のセンサー読み取り装置であり、
前記第一の横方向導電体と第二の横方向導電体との間の距離が、前記第一の細長い導電体の長さにほぼ等しいセンサー読み取り装置。
【請求項３２】
請求項２８に記載のセンサー読み取り装置であり、
前記第一の回路が、前記細長い導電体間に配置されている補助導体を更に含んでいるセンサー読み取り装置。
【請求項３３】
請求項３２に記載のセンサー読み取り装置であり、
前記補助導体が、前記第一の横方向導電体に接続された第一の端部と、前記第二の横方向導電体に接続された第二の端部とを有しているセンサー読み取り装置。
【請求項３４】
請求項３３に記載のセンサー読み取り装置であり、
前記第二の回路が、前記バンドの第一の側縁に沿って延びている第三の細長い導電体と、前記バンドの第二の側縁に沿って延びている第四の細長い導電体とを含み、前記第三の細長い導電体が前記第四の導電体に電気的に接続されている、センサー読み取り装置。
【請求項３５】
請求項３４に記載のセンサー読み取り装置であり、
前記第二の回路が、（ａ）前記第三の細長い導電体に接続された第一の端部と、前記第四の細長い導電体に接続された第二の端部とを有している第三の横方向導電体と、（ｂ）前記第三の細長い導電体に接続された第一の端部と、前記第四の細長い導電体に接続された第二の端部とを有している第四の横方向導電体と、を更に含んでいるセンサー読み取り装置。
【請求項３６】
請求項３５に記載のセンサー読み取り装置であり、
前記第二の回路が、前記第三の細長い導体と第四の細長い導体との間に配置されている第二の補助導体を更に含んでいるセンサー読み取り装置。
【請求項３７】
請求項３６に記載のセンサー読み取り装置であり、
前記第二の補助導体が、前記第三の横方向導体に接続されている第一の端部と、前記第四の横方向導体に接続された第二の端部とを有しているセンサー読み取り装置。
【請求項３８】
請求項３７に記載のセンサー読み取り装置であり、
前記第三及び第四の細長い導体が、ほぼ平行であり且つほぼ長さが等しいようになされたセンサー読み取り装置。
【請求項３９】
請求項３８に記載のセンサー読み取り装置であり、
前記第三及び第四の横方向導体が、相互に隔置されており且つ前記第三及び第四の細長い導体に対してほぼ直角であるようになされているセンサー読み取り装置。
【請求項４０】
請求項３９に記載のセンサー読み取り装置であり、
前記第二の補助導体の長さが、前記第三の細長い導体の長さの３／４未満であるようになされているセンサー読み取り装置。
【請求項４１】
請求項４０に記載のセンサー読み取り装置であり、
前記第二の補助導体の幅が前記第三の細長い導体の幅よりも細くなされているセンサー読み取り装置。
【請求項４２】
請求項４１に記載のセンサー読み取り装置であり、
前記第二の補助導体の幅が、前記第三の細長い導体の幅の１／２にほぼ等しいか又はそれ未満であるようになされているセンサー読み取り装置。
【請求項４３】
請求項４２に記載のセンサー読み取り装置であり、
前記少なくとも２つの同調部材の両方が、前記第二の接点のうちの一つと前記第四の横方向導体とに電気的に接続されているセンサー読み取り装置。
【請求項４４】
請求項２６に記載のセンサー読み取り装置であり、
前記同調部材の各々が、容量性及び／又は誘導性の部材を含んでいるセンサー読み取り装置。
【請求項４５】
請求項４４に記載のセンサー読み取り装置であり、
前記容量性部材が少なくとも１つのコンデンサを含み、前記誘導性部材が少なくとも１つのインダクタを含んでいるセンサー読み取り装置。
【請求項４６】
請求項４４に記載のセンサー読み取り装置であり、
前記誘導性部材が、前記第二の回路に電気的に接続された導体に隣接しており且つ／又は前記第二の回路を包囲しているセンサー読み取り装置。
【請求項４７】
請求項４４に記載のセンサー読み取り装置であり、
前記容量性の同調部材が、種々のキャパシタンス値を有しており、前記誘導性同調部材が種々のインダクタンス値を有しているセンサー読み取り装置。
【請求項４８】
請求項２６に記載のセンサー読み取り装置であり、
前記第一の接点が雌型接点であるセンサー読み取り装置。
【請求項４９】
請求項４８に記載のセンサー読み取り装置であり、
前記雌型接点がスナップの雌型半体であるセンサー読み取り装置。
【請求項５０】
請求項４９に記載のセンサー読み取り装置であり、
前記第二の接点の各々がスナップの雄型半体であるセンサー読み取り装置。
【請求項５１】
センサー読み取り装置であり、
バンドと、
電子回路を収容しているハウジングであり、前記バンドに取り付けられるか又は当該バンドと一体化されているハウジングとを含み、
前記バンドは、前記電子回路に電気的に接続されたアンテナを収容しており、
当該アンテナは、その上に回路が設けられた可撓性の誘導性基板を含んでおり、
当該回路が、前記基板の第一の側縁に沿って、当該基板の第一の領域から第二の領域まで延びている第一の細長い導体を含んでいるセンサー読み取り装置。
【請求項５２】
請求項５１に記載のセンサー読み取り装置であり、
前記回路が更に、
前記基板の第二の側縁に沿って当該基板の第三の領域から第四の領域まで延びている第二の細長い導体であって、前記第二の側縁は前記第一の側縁と反対側に位置しており、前記第一の領域と第三の領域との両方が前記基板の第一の端縁に隣接している前記第二の細長い導体と、
前記第一の細長い導体と接続されている第一の端部と、前記第二の細長い導体に接続されている第二の端部とを有している第一の横方向導体と、を含んでいるセンサー読み取り装置。
【請求項５３】
請求項５１に記載のセンサー読み取り装置であり、
前記回路が、同調部材と、対象者の身体の一部分の周囲に前記バンドを固定するためのかみ合い接点とを更に含んでおり、
当該かみ合い接点が、前記同調部材を介して前記第一の細長い導体に電気的に接続されているセンサー読み取り装置。
【請求項５４】
請求項５３に記載のセンサー読み取り装置であり、
前記同調部材が、容量性及び／又は誘導性の部材を含んでいるセンサー読み取り装置。
【請求項５５】
請求項５４に記載のセンサー読み取り装置であり、
前記容量性の部材が、少なくとも１つのコンデンサを含んでおり、前記誘導性の部材が少なくとも１つのインダクタを含んでいるセンサー読み取り装置。
【請求項５６】
請求項５４に記載のセンサー読み取り装置であり、
前記誘導性の部材が、前記第一の回路に電気的に接続されている導体に隣接し且つ／又は当該導体を包囲しているフェライトを含んでいるセンサー読み取り装置。
【請求項５７】
請求項５４に記載のセンサー読み取り装置であり、
前記容量性の同調部材が種々のキャパシタンス値を有しており、前記誘導性の同調部材が種々のインダクタンス値を有しているセンサー読み取り装置。
【請求項５８】
センサー装置であり、
対象者の身体の一部分に埋め込まれ且つセンサー読み取り器と通信するための第一のアンテナ手段を有しているセンサーと、
センサー読み取り装置とを含み、
当該センサー読み取り装置は、
信号を復調するための復調手段と、
当該復調手段を収容するためのハウジングと、
対象者が、前記ハウジングを身体の一部分に装着するのを可能にするために前記ハウジングに取り付けられたバンド手段と、
当該バンド手段と一対で且つ前記センサー読み取り装置が前記埋め込まれたセンサーと通信するのを可能にするために前記復調手段に接続されている第二のアンテナ手段とを含んでいる、センサー装置。
【請求項５９】
請求項５８に記載のセンサー装置であり、
前記復調手段が復調器を含んでいるセンサー装置。
【請求項６０】
請求項５９に記載のセンサー装置であり、
前記復調器が振幅変調復調器であるセンサー装置。
【請求項６１】
請求項５８に記載のセンサー装置であり、
データを処理するために、前記復調手段に接続されているデータ処理手段を更に含んでいるセンサー装置。
【請求項６２】
請求項５８に記載のセンサー装置であり、
前記第二のアンテナ手段が第一の回路と第二の回路とを含んでいるセンサー装置。
【請求項６３】
請求項６２に記載のセンサー装置であり、
前記第一の回路が第一の細長い導電体を含んでおり、前記第二の回路が、解除可能な接触手段を介して前記第一の細長い導電体に接続されている第二の細長い導電体を含んでいるセンサー装置。
【発明の詳細な説明】
【発明の分野】
【０００１】
本発明は、同調可能なアンテナを備えたリストバンド又はその他のタイプのバンドに関し、更に特定すると、ユーザーの手首又はその他の身体の部分に装着され且つ埋め込まれた検知装置と無線通信できるように設計されている外部センサーと共に使用するための同調可能なアンテナを有するリストバンド又はその他のタイプのバンドに関する。
【背景技術】
【０００２】
その開示が本明細書に参考として組み入れられている米国特許第６，４００，９０４号（以下、“’９７４特許”と称する）は、埋め込み可能なセンサー及びセンサー読み取り装置を開示している。当該センサー読み取り装置は、局部的な無線周波数（ＲＦ）電磁場を介して埋め込まれたセンサーと無線通信できるように設計されている。例えば、センサー読み取り装置は、センサーに無線によって電力を供給するばかりでなく、センサーからデータを採取する。このセンサー読み取り装置は埋め込まれたセンサーと無線通信するので、典型的にはアンテナを有する必要がある。
【０００３】
ここで使用されている“アンテナ”という用語は、一つの点又は装置から別の点又は装置へ無線による情報通信及び／又は無線による電力供給のために使用される装置を広く包含すると解釈されるべきである。例えば、アンテナという用語は、とりわけ、電場及び／又は磁場を発生し及び／又は電場及び／又は磁場に応答するために使用することができる１以上の構成部品（例えば、１以上のワイヤー片及び／又はその他の受動的若しくは能動的構成部品）を包含することを意図されている。
【発明の開示】
【０００４】
一つの特徴として、本発明は、埋め込み可能なセンサー及びセンサー読み取り装置を備え、センサー読み取り装置が、当該センサー読み取り装置のユーザーが手首又はその他の身体部分に具合良く当該センサー読み取り装置を装着できる一方でセンサー読み取り装置がセンサーと無線通信できるように設計されているセンサー処理装置を提供する。センサー自体は、ユーザーの手首又はその他の身体部分内に埋め込まれるのが有利である。
【０００５】
一つの特別な実施形態においては、センサー読み取り装置は、バンド（例えば、リストバンド）に取り付けられ又は一体化されたハウジングを含んでいる。当該ハウジングは処理用構成部品を含んでおり、バンドは、内部に、当該センサー読み取り装置をセンサー内の１以上の部品に誘導結合するためのアンテナ回路が埋め込まれていても良く、前記アンテナ回路は、コイル又は単一ループ又は複数ループの形状とすることができる。
【０００６】
もう一つの特徴として、本発明は、リストバンドと、当該リストバンドに結合されて電子回路を囲繞するハウジングとを備えたセンサー読み取り装置を提供する。リストバンドは、前記電子回路に電気的に接続されたアンテナ回路を囲繞している。アンテナは、リストバンドの第一の半体内に配置されている第一の電気回路と、当該リストバンドの第二の半体内に配置されている第二の電気回路とを含んでいる。第一の電気回路は第一の接点に電気的に接続されており、第二の電気回路は複数の同調部材に電気的に接続されている。当該同調部材の各々は、前記第一の接点を収容できる構造とされた第二の接点と直列に電気接続されている。第二の接点のうちの一つが第一の接点を収容する構造の結果として、第一の電気回路は、前記同調部材のうちの一つを介して第二の電気回路に電気的に接続されるようになる。
【０００７】
もう一つ別の特徴として、本発明は、リストバンドと電子回路を囲繞しているハウジングとを含んでいるセンサー読み取り装置を提供する。前記ハウジングはリストバンドに取り付けられている。リストバンドは、ハウジング内の電子回路に電気的に接続されたアンテナを囲繞している。アンテナは、回路が設けられた可撓性の誘電性基板を含んでいる。当該回路は、基板の第一の領域から当該基板の第一の側縁に沿って当該基板の第二の領域まで延びている第一の細長い導体と、前記基板の第三の領域から当該基板の第二の側縁に沿って当該基板の第四の領域まで延びている第二の細長い導体とを含んでいる。前記第二の側縁は前記第一の側縁に対向している。前記第一の細長い導体と第二の細長い導体とは互いに電気的に接続されており、第一の領域と第三の領域とは、共に、基板の第一の端部に隣接している。
【０００８】
本発明はまた、信号を復調するための復調器手段と、当該復調器手段を囲繞するためのハウジングと、対象者が前記ハウジングを手首に装着するのを可能にするために前記ハウジングに取り付けられたリストバンド手段と、当該リストバンド手段と一体化され且つ復調器手段に結合されて対象者の手首に埋め込まれたセンサーと通信するためのアンテナとを備えたセンサー読み取り装置をも提供する。
【０００９】
本発明の上記の及びその他の特徴及び利点のみならず本発明の好ましい実施形態の構造及び動作を、添付図面を参照して以下に詳細に説明する。
【好ましい実施形態の説明】
【００１０】
本出願書類に組み入れられている添付図面は、明細書と共に、本発明の種々の実施形態を例示する助けとすることができ、更に、本発明の原理を説明し且つ当業者が本発明を製造し且つ使用するのを可能にする役目を果たす。図面において、同様の符号は、同一又は機能的に類似した部材を示している。更に、符号の最も左側に付けられた数字は、当該符号が最初に出現する図面の番号を特定している。
【００１１】
図１は、本発明によるセンサー処理装置１００の一つの好ましい実施形態のブロック図である。装置１００は、センサー読み取り装置１０１（“外部ユニット”）と、センサー１０２（“内部ユニット”）とを含んでいる。当該装置の用途の一例においては、内部ユニット１０２は、皮下的に又は別の方法で対象者の体内（例えば、対象者の手首又はその他の身体の部分内）に埋め込まれる。センサー１０２は、光電子回路１０２ｂを含んでおり、当該光電子回路の一つの構成部品は、’９７４特許に記載されている蛍光検知装置によって作ることができる。
【００１２】
光電子回路１０２ｂは、定量的な測定情報を取得し、得られた情報の関数として負荷１０２ｃを修正する。負荷１０２ｃは、センサー読み取り装置１０１のアンテナ１０１ｆに結合されているアンテナ１０２ｄを通る電流の量を変化させる。アンテナ１０２ｄ及び１０１ｆは、通常はコイル又は単一ループ又は多数ループの形状である。復調器１０１ｂ（例えば、振幅変調（ＡＭ）復調器又はその他の復調器）は、結合されたアンテナ１０２ｄによってアンテナ１０１ｆ内に誘起される電流の変化を検知し、検知された信号をパルスカウンタ１０１ｃ及びコンピュータインターフェース１０１ｄのような処理回路に適用して処理し、プロセッサ１０１ｅへ入力するためのコンピュータによって読み取り可能なフォーマットにする。
【００１３】
ＲＦ発振器１０１ａは、ＲＦ信号をアンテナ１０１ｆに供給し、アンテナ１０１ｆは、次いで、アンテナ１０１ｆ及び１０２ｄがアンテナ間に十分な誘導結合を許容するのに十分なように相互に近接しているときに、アンテナ１０２ｄに電磁エネルギを提供する。ＲＦ信号からのエネルギは、センサー１０２のための作動電力を提供して定量的な測定値を取得し、取得された測定値は、負荷１０２ｃを変化させ、次いで、センサー読み取り装置１０１によって検知され且つ復号されて情報にされる。負荷の変化は、アンテナ１０１ｆと１０２ｄとの間の相互結合を介してセンサー１０２からセンサー読み取り装置１０１に結合される。
【００１４】
負荷は、内部アンテナ１０２ｄと外部アンテナ１０１ｆとの両方を同調することによってほぼ同じ周波数となるようにし且つ適当な構築技術によって共振回路のＱファクタを増すように改良することができる。これらの相互結合により、一方のアンテナの電流の変化が他方のアンテナ内の電流の変化を誘導する。この誘導電力が検知され且つ復号されて対応する情報にされる。
【００１５】
図２は、センサー処理装置１００の実施形態を示している。図２に示されているように、センサー１０２は対象者の手首に埋め込むことができ、センサー読み取り装置１０１は対象者の手首に腕時計のように装着することができる。ここに記載されている図は本発明の“リストバンド”タイプの実施形態を示しているけれども、これは簡素さのためにのみなされたものである。当業者は、本発明はセンサーを対象者の手首又はリストバンドに埋め込むことに限定されないことを理解できるであろう。例えば、当業者は、センサーは実際にはユーザーの身体のどこにでも（例えば、腕、脚部、足首、首等に）埋め込むことができることは理解するであろう。従って、“リストバンド”という用語は、例えば、アームバンド、レッグバンド、ネックバンド、アンクルバンド等を含むあらゆるタイプのバンドを包含するものと解釈されるべきである。
【００１６】
図２に更に示されているように、センサー読み取り装置１０１の一つの実施形態は、読み取り装置ハウジング２０２、ハウジング２０２内に収容されたデータ処理回路２０４（例えば、ＡＭ復調器１０１ｂ、プロセッサ１０１ｅ等）及び読み取り装置ハウジング２０２が取り付けられているリストバンド２０６を含んでいる。図２に示されているように、センサー読み取り装置１０１のアンテナ１０１ｆは、リストバンド２０６と一体化されており且つ回路２０４に電気的に接続されている。アンテナ１０１ｆは、当該アンテナがバンド２０６内に入れられているのが好ましいことを示すために点線で示されている。
【００１７】
リストバンド２０６は、例えば、皮革、ビニール等のような適当な材料によって作ることができる。好ましい実施形態においては、リストバンド２０６は、ユーザーに心地良さを提供し、美点外観を提供し、アンテナ及び回路に強度を付加することができる。
【００１８】
上記したように、センサー読み取り装置１０１は、センサー１０２に電力及び制御を供給するばかりでなくセンサー１０２からデータを収集するために、局部的な無線周波数（ＲＦ）で無線通信できる構造とされている。アンテナ１０１ｆの長手軸線は、センサー１０２のアンテナ１０２ｄの軸線と平行であるのが好ましい。幾つかの実施形態においては、アンテナ１０１ｆは単一巻コイルである。しかしながら、アンテナ１０１ｆは、多数回（２回以上）巻コイル若しくはループ又は種々の電力レベル及び／又は動作周波数に必要とされる他の構造であっても良い。
【００１９】
好ましい実施形態においては、リストバンド２０６は、一般的な腕時計用のリストバンドのようなあらゆるリストバンドにおけるように、センサー読み取り装置１０１のユーザーが手首から読み取り装置１０１を取り外すことができ且つ読み取り装置１０１を再度手首に嵌めることができる設計とされている。一般的な腕時計においては、これは典型的には次の２つの機構のいずれかによって達成される。一つの一般的な設計は、ユーザーが腕時計を取り外し又は装着した状態で引っ張ることができる弾性のバンドである。第二の一般的な設計は、例えば留め金又はバックルのような解除可能な留め具を使用することである。
【００２０】
本発明の実施形態においては、腕時計のための一般的なリストバンドのように、リストバンド２０６は、リストバンドの端部同士を結合して対象者の手首にリストバンドを固定するための解除可能な留め具を含んでいる。しかしながら、電気回路をアンテナ１０１ｆ内に維持しなければならないので、本発明において使用される留め具は、バンドの端部同士を締結するばかりでなく、以下に説明するように電気回路をアンテナ１０１ｆ内に維持する電気コネクタとしても機能する。
【００２１】
図３は、本発明の幾つかの実施形態によるリストバンド２０６の頂面図である。リストバンド２０６は、細長い第一及び第二のリストバンド部分３１４，３１６を含んでおり、これらのリストバンド部分の各々が、装着者の手首の周囲の一部に嵌るようになされている。当該リストバンド部分は、ハウジング２２の両端に機械的に係合する構造とされている第一のすなわち基端３１８，３２０を有している。リストバンド部分３１４，３１６はまた、導電性の解除可能な留め具によって重なった形で連結されるようになされている第二のすなわち末端３２２，３２４をも含んでいる。
【００２２】
図４は、本発明の他の実施形態によるリストバンド２０６の頂面図である。この実施形態においては、リストバンド２０６は、装着者の手首の周囲全体に適合するようになされている単一の細長いリストバンド部分４１４を含んでいる。ハウジング２０２は、当該ハウジングを概してリストバンド部分４１４の中央に配置した状態でリストバンドの外面に取り付けられるのが好ましい。リストバンド部分４１４は、導電性の解除可能な留め具（図示せず）によって重なった形態で連結されるようになされた第一の端部４２２と第二の端部４２４とを有している。
【００２３】
図３及び４に示されているように、アンテナ１０１ｆは、リストバンド２０６内に一体化されている。図示された実施形態においては、アンテナ１０１ｆは、一回巻コイルであり且つ第一の細長い導電体３３１と第二の細長い導電体３３２とを含んでおり、これらは両方ともリストバンド２０６内に埋め込まれており且つ対象者の手首を包囲する構造とされている。しかしながら、上記したように、アンテナ１０１ｆは、多数回巻コイル又はその他の構造とすることができ、その場合には、付加的な導電体を含んでいても良い。
【００２４】
図３に示された実施形態においては、導電体３３１は第一のリストバンド部分３１４内に埋め込まれており、導電体３３２は第二のリストバンド部分３１６内に埋め込まれている。各導電体３３１，３３２は、１以上の電気部品（例えば、金属線等又は電気を伝えることができる他の回路部品）を含んでいても良い。導電体３３１，３３２は、各々、基端３４１，３４２と末端３４３，３４４とを有している。付加的に、導電体３４２は一組の同調部材３７１（ａ）〜（ｎ）に電気的に接続されており、好ましい実施形態においては、一組の同調部材には、コンデンサが含まれているが、前記同調部材は、コンデンサである必要はなく、インダクタ、インダクタとコンデンサとの組み合わせ若しくはその他の回路要素又はこれらの組み合わせであっても良い。図３又は４に示されていないけれども、ハウジング２０２内の回路は、各々、例えばハウジングインターフェースアタッチメント３５１，３５２によって導電体３３１，３３２の基端３４１，３４２に電気的に接続されている。
【００２５】
リストバンド２０６が留め具によって対象者の手首の周りに固定されると、導電体３３１は、コンデンサ３７１（ａ）〜（ｎ）のうちの１つを介して導電体３３２に電気的に接続されて対象者の手首を包囲するアンテナ１０１ｆを完成させるであろう。このことは図５に示されている。
【００２６】
図５は、本発明の幾つかの実施形態によるリストバンド２０６が対象者の手首に装着されてるときの断面図である。図５に示されているように、導電体３３１は、第一の電気接点５０２と電気的に接続されている。図示された実施形態においては、電気接点５０２は、スナップの雌型半体である。しかしながら、電気接点５０２は、如何なる雄型又は雌型接点部材としても良く又は簡単な導電性パッドとすることさえできる。
【００２７】
同様に、導電体３３２は、各々、コンデンサ３７１（ａ）〜（ｎ）を介して一組の電気接点５０４（ａ）〜（ｎ）と電気的接触状態とされている。すなわち、コンデンサ３７１（ａ）は、接点５０４（ａ）と導電体３３２との間に接続されており、コンデンサ３７１（ｂ）は、接点５０４（ｂ）と導電体３３２との間に接続されており、コンデンサ３７１（ｎ）は、接点５０４（ｎ）と導電体３３２との間に接続されている。図５に示された実施形態においては、各接点５０４はスナップの雄型半体である。しかしながら、接点５０２と同様に、各接点５０４は、雄型若しくは雌型接点部材であっても良く又は簡単な導電性パッドとすることさえできる。接点５０２は、接点５０４（ａ）〜（ｎ）のどれかとかみ合う構造とされており、それによって、図５に示されているように、導電体３３１を導電体３３２と電気的に接続する構造とされている。
【００２８】
各コンデンサ３７１は異なるキャパシタンスを有しているのが好ましい。更に、コンデンサ３７１のキャパシタンスは、接点５０２がどの接点５０４（ａ）〜（ｎ）と組み合わせられるかに関係なくアンテナ１０１ｆが同じ電気的特性を有するように選択されるのが好ましい。すなわち、コンデンサ３７１は、接点５０２が接点５０４（ａ）か、５０４（ｂ）か又は５０４（ｎ）と組み合わられてもアンテナ１０１ｆの電気特性が同じであるように選択されるのが好ましい。例えば、アンテナ回路の共振周波数は、接点５０２が組み合わせられる対応接点に関係なく実質的に不変のままであるのが好ましい。
【００２９】
図６は、図５に示されているリストバンドの回路図である。この回路図は、個々のコンデンサ３７１が接点５０４と導体３３２との間に直列に接続される方法を示している。この回路はまた、接点５０２が接点５０４に接続されているときに接点５０２及び５０４が導体３３１、３３２間に電気的通路を提供することをも示している。図６に示されているインダクタは、コンデンサ３７１及びコネクタ５０２、５０４のように別個の構成部品ではない。図６に示されているインダクタは、導体３３１、３３２のインダクタンスを表している。
【００３０】
図７Ａは、アンテナ１０１ｆのための別の設計を示している。図７Ａに示された実施形態においては、アンテナ１０１ｆは、細長い導電体、導電性パッド及びその他の電気部品が実装された可撓性の誘電性基板７０１（“回路基板”）を使用して据え付けることができる。回路基板７０１は、リストバンド２０６を作るために一般的なリストバンド材料（例えば、皮革、ビニール等）（図示せず）内に入れられるのが好ましい。結果的に得られるリストバンド２０６の幅は、回路基板７０１の幅に等しいか又は若干大きいのが好ましく、この幅は約３／４インチ（１．９１センチメートル）であるのが好ましい。代替的な実施形態においては、リストバンド２０６の幅はより大きくても小さくても良い。
【００３１】
図７Ａ〜７Ｄに示された実施形態においては、アンテナ１０１ｆは、回路基板７０１の第一の部分７９１上に配置された第一の回路７０２と、基板７０１の第二の部分７９２上に配置された第二の回路７０４とを含んでいる。図示された実施形態においては、第一の部分７９１は、基板７０１のほぼ右／左半分全部を含んでおり、第二の部分７９２は、基板７０１のほぼ左／右半分全体を含んでいる。更に、図７Ａに示されているように、第一の部分７９１は、第二の部分７９２に直接接続されているか又はこれと一体化されている。しかしながら、第一及び第二の部分７９１、７９２が直接接続されていないか又は一体化されていない他の実施形態も考えられる。幾つかの実施形態においては、基板７０１及び当該基板上に装備されている導体及び構成部品は、可撓性の誘電性薄層によって覆われるか又はコーティングされる。
【００３２】
第一の回路７０２を参照すると、第一の回路７０２は、（１）図７Ａに示されているように、基板７０１の第一の部分７９１の一端から当該第一の部分７９１の他端まで長手方向に延びている第一の細長い導体７０１と、（２）第一の導体７１０から隔置され且つ同じく基板７０１の第一の部分７９１の一端から当該第一の部分７９１の他端まで長手方向に延びている第二の細長い導体７１１と、（３）第一の導体７１０を第二の導体７１１と電気的に接続する１以上の横方向導体７１２とを含んでいる。例えば、横方向導体７１２（ｃ）は、導体７１０に接続されている第一の端部と、導体７１１に接続されている第二の端部とを有し、それによって、導体７１０を導体７１１に電気的に接続している。
【００３３】
導体７１０及び７１１は、図７Ａに示されているように、各々、基板７０１の第一の側縁７２１と第二の側縁７２２とに隣接して延びているのが好ましい。より特別には、導体７１０は側縁７２１に沿って延びており、導体７１１は側縁７２２に沿って延びている。各導体７１０、７１１は、１以上の電気部品（例えば、金属線等又は電気を伝えることができる他の回路要素）を含んでいても良い。
【００３４】
回路７０２は更に、１以上の導電性パッド７３０を含んでいても良い。各導電性パッドは、１以上の回路同調部材７３５を介して導体７１０及び７１１に電気的に接続されている。例えば、幾つかの実施形態においては、各パッド７３０は、パッド７３０と横方向導体７１２との間に電気的に接続されている回路同調部材７３５を介して導体７１０及び７１１に電気的に接続されている。例えば、パッド７３０（ｃ）は、同調部材７３５（ｃ）及び横方向導体７１２（ｃ）を介して導体７１０及び７１１に電気的に接続されている。
【００３５】
一つの実施形態においては、各同調部材７３５は所定のキャパシタンスを有する単一の別個のコンデンサであるけれども、上記したように、各同調部材７３５は、多数のコンデンサ、インダクタ及び／又はその他の回路要素を含んでいても良い。例えば、幾つかの代替的な実施形態においては、同調部材７３５は、リストバンドが設定されている大きさに関係なく全インダクタンスが一定のままであるように選択された別個の誘導性同調部材である。この特徴は図７Ｂに示されている。図７Ｂは、同調部材としての別個のインダクタ７６７を使用することを示している。
【００３６】
幾つかの他の実施形態においては、例えば、図７Ｃに示されているように、同調部材７３５は、トレーススタブ７７７と、当該トレーススタブ７７７の上又は周りに設けられた１以上のフェライト部片７８７とを含んでいても良い。図７Ｄは、この特徴を更に示している断面図である。
【００３７】
図７Ｄに示されているように、１以上のフェライト又はその他の同様の誘導性同調部材がトレーススタブ７７７の上及び／又は下に配置されている。この例示的な実施形態においては、スタブ７７７のインダクタンスは、フェライトの量及びスタブに対する当該フェライトの位置に依存する。当該位置は、スタブ内に所望のインダクタンスを提供するように製造プロセス中に調整することができる。図７Ｄに示されている２つの部片は必要とされるときに比較的大きなインダクタンスを提供するけれども、少なくとも幾つかのスタブ７７７に対しては、一つの側部に単一のフェライト部片を設けるだけで十分である。フェライト部片７８７を、パッド７３０を横方向導体７１２に接続するトレーススタブ７７７の上方及び／又は下方の代わりに横方向導体７１２の上方及び／又は下方に配置することができることは注目されるべきである。
【００３８】
フェライトは、アンテナのインダクタンスと同調された共振とが選択されたリストバンドの大きさに関係なく一定のままであるように、互いに全体のインダクタンスを調整する別個のインダクタと同じように機能する。同調部材（例えば、別個のインダクタ、別個のコンデンサ、フェライト部片等）の選択は、これらは全て同様に機能するので、主としていずれが最も簡単で且つ製造費用が最も安いかに依存する。
【００３９】
同調部材７３５が誘導性同調部材である実施形態においては、読み取り装置１０１は、最も大きな調整サイズのインダクタンスを永久的に適合させるように同調される容量性の同調部材を含んでいても良く、（一連の誘導性素子を含んでいる）アンテナのインダクタンスは、どのようなリストバンドのサイズ調整が選択されるかに関係なく一定のままである。
【００４０】
容量性の同調部材と逆に誘導性の同調部材を使用する場合には、リストバンドを流れる電流及び恐らくはリストバンドの近くの磁場は、リストバンドとして選択された大きさに関係なく同一のままである。可変の容量性同調方法は、リストバンドの各々の大きさに対して出来るだけ多くの電流を取り出す傾向がある。誘導性同調部材と容量性同調部材とのいずれを使用することがより有利であるかは、最も大きな接続においてセンサーに負荷をかけ過ぎないで最大レンジに対してどのくらい大きな磁場が必要とされるかに依存する。
【００４１】
導電性パッド７３０は、導電性締結部材を回路に電気的に接続させるように機能する。例えば、一つの実施形態においては、スナップの雄型又は雌型半体が各パッド７３０に取り付けられる。
【００４２】
図７Ａに示されているように、回路７０２は更に、１以上の補助導体を含んでいても良い。補助導体は、導体７１０と７１１との間に配置され且つ一般的にはこれらの導体に並列に配置されている。図７Ａに示された実施形態においては、一つの補助導体７１５が示されている。補助導体７１５は、横方向導体７１２（ａ）と７１２（ｂ）との間に配置されており、補助導体７１５の一端は横方向導体７１２（ａ）に接続されており、他端は横方向導体７１２（ｂ）に接続されている。補助導体の幅（ｗ１）は、端縁導体７１０、７１１の各々の幅（ｗ２，ｗ３）よりも狭い。例えば、幾つかの実施形態においては、導体７１０，７１１の幅は、補助導体の幅のほぼ２倍である。より形式的には、幾つかの実施形態においてはｗ２＝ｗ３＝＞２ｗ１である。更に、幾つかの実施形態においては、補助導体７１５の長さは、等しくすることができる導体７１０，７１１の長さよりも短い。図７Ａに示されているように、補助導体７１５の一つの実施形態の長さは、導体７１０及び７１１の長さの１／４ないし３／４である。導体７１０及び７１１の長さは等しく且つ典型的には４〜６インチ（１０．１６〜１５．２４センチメートル）である。
【００４３】
第二の回路７０４を参照すると、回路７０４は、（１）図７Ａに示されているように、基板７０１の第二の部分７９２のほぼ一端から第二の部分７９２の他端まで長手方向に延びている第一の長手方向に細長い導体７６０と、（２）第一の導体７６０から隔置されており且つ同じく基板７０１の第二の半体のほぼ一端から基板７０１の第二の半体の他端まで長手方向に延びている第二の長手方向に細長い導体７６１と、（３）第一の導体７６０を第二の導体７６１に電気的に接続している１以上の横方向導体７６２とを含んでいる。例えば、横方向導体７６２（ａ）は、導体７６０に接続されている第一の端部と、導体７６１に接続されている第二の端部とを有して、導体７６０を導体７６１に電気的に接続している。導体７６０と７６１とは、図７Ａに示されているように、各々、基板７０１の第一の側縁７２１と第二の側縁７２２とに隣接して延びている。
【００４４】
回路７０４は更に、１以上の導電性パッドを更に含んでいても良い。図示されている実施形態においては、回路７０４は１つの導電性パッド７７３を含んでいる。導電性パッド７７３は、横方向導体７６２（ａ）の頂部に配置されており且つ横方向導体７６２（ａ）に電気的に接続されている。パッド７７３は、導電性留め具を回路７０４に電気的に接続するように機能する。例えば、一つの実施形態においては、どのタイプのスナップがパッド７３０に取り付けられているかに応じて、スナップの雄型半体又は雌型半体がパッド７７３に取り付けられる。
【００４５】
更に図７Ａに示されているように、回路７０４は更に１以上の補助導体を含んでいても良い。補助導体は、導体７６０，７６１間に隔置されて且つこれらの導体にほぼ平行に配置されている。図７Ａに示された実施形態においては、１つの補助導体７６５が示されている。補助導体７６５は、横方向導体７６２（ａ）と７６２（ｂ）との間に配置されており、補助導体７６５の一端が導体７６２（ａ）に接続されており、他端が導体７６２（ｂ）に接続されている。補助導体の幅は、端縁導体７６０，７６１の幅よりも狭いのが好ましい。例えば、幾つかの実施形態においては、導体７６０，７６１の幅は、補助導体の幅のほぼ２倍である。しかしながら、補助導体７６５の長さは、図７Ａに示されているように、導体７６０，７６１の長さに等しくても良い。
【００４６】
図８を参照すると、図８は、読み取り装置１０１内の電気回路を基板７０１上のアンテナ回路に電気的に接続するための一つの可能な方法を示している。図示されている実施形態においては、読み取り装置１０１内の電子回路を基板７０１上のアンテナ回路に接続するためのコネクタハウジング８０２が基板７０１に結合されている。図８に示されているように、幾つかの実施形態においては、コネクタハウジング８０２は、互いに隣接している横方向導体７１２（ａ）及び７６２（ｂ）上に位置している。コネクタハウジング８０２は、読み取り装置１０１内の電子回路をアンテナ回路７０２及び７０４に容易に接続するための手段を提供するように設計されている。コネクタハウジング８０２は、誘電性材料によって作られるのが好ましい。
【００４７】
幾つかの実施形態においてはコネクタハウジング８０２等は全く使用されないことが注目されるべきである。すなわち、読み取り装置１０１は、基板７０１上の導体のうちの１以上に直接はんだ付けされてコネクタ８０２を不要にすることができる。他の代替的な実施形態においては、読み取り装置の回路が配置されている読み取り装置回路はアンテナを含むことができる。例えば、読み取り装置の回路基板は、アンテナのための１又は２の可撓性部分を有することができ、読み取り装置の回路は、読み取り部分を取り付けるためのアンテナに重なっている領域を有することができ、読み取り装置の回路基板は、アンテナ部分よりも実質的に厚く作ることができる部品読み取り領域を有することができる（すなわち、回路基板の部品取り付け領域は可撓性ではなく剛性とすることができ、一方、回路基板のアンテナ部分は剛性とする代わりに可撓性とすることができる）。
【００４８】
図８に示されているハウジング８０２の実施形態は、２つの柱８１１及び８１２内に配置されるのが好ましい多数の穴８０４を備えている。各穴は、ハウジング８０２の頂面８０６からハウジングの底面まで延びている。導電性接触部材（図示せず）の一部分が各穴開口部内に配置される。すなわち、接触部材の一端は前記穴内にあり、他端はハウジングの底面を越えて延びる。ハウジングの底面を越えて延びている端部は、回路７０２又は７０４に電気的に接続されている。例えば、穴の第一の柱８１１の一部である穴内に配置されている電気接点は、横方向導体７１２（ａ）に物理的に且つ電気的に接続されており、穴の第二の柱８１２の一部である穴内に配置されている電気接点は横方向導体７６２（ａ）に接続されている。
【００４９】
図７Ａを再度参照する。導体７１０，７１１，７６０及び７６１が基板７０１の各々の側縁に隣接して配置されていることの利点は、このような構造がリストバンドの幅よりも広い電磁場を形成することである。比較的広い電磁場は、埋め込まれたセンサーとの通信を維持しつつユーザーの手首上のリストバンドが埋め込まれたセンサーに対して横方向に動くのを許容するので有利である。このような広い電磁場がない場合には、リストバンドの動きは、通信の損失をもたらす傾向が強い。なぜならば、最早、センサーはアンテナによって発生される電磁場内に存在しなくなるかも知れないからである。この特徴は図９に示されている。
【００５０】
図９は、図７に示されている実施形態によるアンテナ１０１ｆによって発生される電磁場を示している。図９に示されているように、電磁場の幅は、リストバンドの幅よりも広く、これは、概して、導体７１０と７１１（又は導体７６０、７６１）の間の距離であり、この幅は約３／４インチ（１．９１センチメートル）である。導体７１０と７１１との間の幅が約３／４インチ（１．９１センチメートル）である場合には、結果的に得られる電磁場の幅は２インチ（５．０８センチメートル）以下となるかも知れない。
【００５１】
図９に示されている矩形は、埋め込まれたセンサーを示している。従って、図９は、アンテナ１０１ｆがセンサーに対して短い距離だけ横方向に動くことができ、当該センサーは、依然としてアンテナによって発生される電磁場内に存在するであろう。従って、アンテナを収容しているリストバンドがユーザーの手首上に緩く装着されているためにアンテナ１０１ｆがユーザーの手首上で短い距離だけ横方向に動くことができ、センサー読み取り装置だけ横方向に動くことができる場合にも、センサー読み取り装置はセンサーとの通信を喪失しないであろう。比較的広い電磁波は、リストバンドの幅を比較的狭く作ることができるという付加的な理由により有利であり、従って、機能を損なうことなく、幾つかのユーザーをより美的に満足させる。
【００５２】
図１２は、アンテナ１０１ｆのための別の設計を示している。図１２に示されている実施形態においては、アンテナ１０１ｆは、細長い導電体、導電性パッド及びその他の電気部品を備えた誘電性基板７０１を使用して実装されている。回路基板７０１は、リストバンド２０６を作るために、一般的なリストバンド材料１２９０（例えば、皮革、ビニール等）内に入れられるのが好ましい。結果的に得られるリストバンド２０６の幅は、約３／４インチ（１．９１センチメートル）であるのが好ましい回路基板７０１の幅に等しいか又は若干広いのが好ましい。図１２に示されている実施形態によるアンテナは、図７に示されているアンテナと類似している。これら２つの実施形態間の違いは、第一の実施形態（図７）においては、読み取り装置ハウジング２０２が回路基板７０１のほぼ中央に取り付けられており、一方、第二の実施形態（図１２）においては、読み取り装置ハウジング２０２が図１３に示されているように回路基板７０１の端部に取り付けられている点である。
【００５３】
図１２を再度参照すると、図示された実施形態によるアンテナ１０１ｆは、回路１２０４を含んでいる。回路１２０４は、（１）図１２に示されているように基板７０１の一端から基板の他端まで長手方向に伸長している第一の長手方向に細長い導体１２１０と、（２）前記第一の導体１２１０から隔置されており且つ同じく基板７０１の一端から他端まで長手方向に延びている第二の長手方向に細長い導体１２１１と、（３）１以上の横方向導体１２１２とを含んでいる。横方向導体７１２及び７６２と同様に、各横方向導体１２１２は、一端が前記第一の細長い導体１２１０に接続されており、他端は第二の細長い導体１２１１に接続されている。例えば、横方向導体１２１２（ａ）は、導体１２１０に接続されている第一の端部と、導体１２１１に接続されている第二の端部とを有し、それによって、導体１２１０を導体１２１１に接続している。導体１２１０及び１２１１は、図１２に示されているように、各々、第一の側縁１２２１及び第二の側縁１２２２に隣接して延びている。
【００５４】
回路１２０４は更に、１以上の導電性パッド１２３０を含んでいても良い。各導電性パッド１２３０は、１以上の回路要素１２３５を経由して導体１２１０及び１２１１に電気的に接続されている。例えば、幾つかの実施形態においては、各パッド１２３０は、パッド１２３０と横方向導体１２１２との間に電気的に接続されている回路要素１２３５を介して導体１２１０及び１２１１に電気的に接続されている。例えば、パッド１２３０（ｃ）は、コンデンサ１２３５（ｃ）及び横方向導体１２１２（ｃ）を介して導体１２１０及び１２１１に電気的に接続されている。図示された実施形態においては、部材１２３５は、所定のキャパシタンスを有するコンデンサである。導電性パッド１２３０は、導電性留め具を回路１２０４に電気的に接続するように機能する。例えば、一つの実施形態においては、スナップの雄型半体が各パッド１２３０に取り付けられている。
【００５５】
図１２に示されているように、回路１２０４は更に、１以上の補助導体を含んでいても良い。補助導体は、基板７０１上で導体１２１０、１２１１の間にこれらに対してほぼ平行に配置されている。図１２に示されている実施形態においては、一つの補助導体１２１５が示されている。補助導体１２１５は、横方向導体１２１２（ａ）と１２１２（ｂ）との間に配置されていて、一端が導体１２１２（ａ）に接続されており、他端が導体１２１２（ｂ）に接続されている。上記したように、補助導体の幅は、端縁導体１２１０、１２１１の幅よりも狭いのが好ましい。しかしながら、図示された実施形態においては、補助導体１２１５の長さは、主要導体１２１０、１２１１の長さよりも短いけれども、主要導体１２１０、１２１１の長さに等しくても良い。
【００５６】
図１３を参照すると、図１３は、リストバンドが対象者の手首に嵌められた状態の本発明の代替的な実施形態によるリストバンド２０６の断面図である。図１３に示されているように、接点部材１３０４、１３０６は雌型接点部材であるが、雄型又はその他の接点部材も使用できる。接点部材１３０４、１３０６は、回路基板７０１上の回路に電気的に接続されている。より特別には、これらは、パッド１２３０（図示せず）と直列に電気的に接続されている。図１３に更に示されているように、対応する接点部材１３０２は、ハウジング２０２に取り付けることができる。接点部材１３０２は、回路２０４に電気的に接続されている。接点部材１３０４、１３０６は、接点部材１３０２にかみ合って回路を完結させ且つバンド２０６の端部１３１０をハウジング２０２に解除可能に取り付けるように設計されている。バンド２０６の両端は、ハウジング２０２に固定しても良い。従って、ハウジング２０２が基板７０１にねじ止めできるように基板７０１にねじ穴７６６が設けられている（図７、８及び１２参照）。
【００５７】
図１０及び１１は、本発明の代替的な実施形態によるリストバンドを示している。図１０及び１１に示されているリストバンドは、本明細書に示されている他のリストバンドと類似しており、違いは、主として対象者の手首にリストバンドを固定するための留め金機構にある。
【００５８】
図１０Ａを参照すると、図１０Ａは、第一のリストバンド部分１０５１と第二のリストバンド部分１０５２とを有しているリストバンド１０００を示している。第一のリストバンド部分１０５１の末端には係止タブ１００２が取り付けられている。係止タブ１００２は、第一のリストバンド部分１０５１の一つの端縁に回転可能に取り付けられており且つ第一のリストバンド部分１０５１の長手軸線にほぼ平行な軸線を中心として自由に回転することができる。
【００５９】
係止タブ１００２の底面１０１２から外方へ雄型電気接点１０１０が突出している。接点１０１０は、細長く且つ接点１０１０の長手軸線が係止タブ１００２の長手軸線にほぼ平行であるように係止タブ１００２上で配向されているのが好ましい。
【００６０】
図１０Ａに示されてはいないけれども、アンテナ１０１ｆの第一の部分（例えば、回路７０４又は導体３３１）が第一のリストバンド部分１０５１内に埋め込まれており且つ雄型電気接点１０１０に電気的に接続されている。更に、アンテナ１０１ｆの第二の部分（例えば、回路７０２又は導体３３２）が第二のリストバンド部分１０５２内に埋め込まれている。第二のリストバンド部分１０５２は、その外面（すなわち、腕時計が意図した通りに嵌められたときに対象者の手首と反対側である面）に一組の横方向溝１０６０（ａ）〜（ｅ）を備えている。図１０Ｂに示されているように、各溝１０６０は、露出された電気接点１０９０を含んでいる。電気接点５０４及びパッド７３０と同様に、露出された各電気接点１０９０は、それ自体がアンテナ部分に直列に接続されている容量性構造体と直列に接続されている。従って、当該アンテナ部分は、容量性構造体を介して各電気接点１０９０に電気的に接続される。
【００６１】
リストバンド１０００は、リストバンド部分１０５２の末端を留め具１０７０内に挿入し（同じく図１０Ｃを参照）且つ係止タブ１００２を矢印の方向に回転することによって雄型電気接点１０１０が溝１０６０のうちの一つ内に配置されるようにすることによって対象者の手首に固定される。リストバンド１０００がこのようにして固定されると、溝１０６０内の露出された接点１０９０は雄型接点１０１０を収容し、それによって、アンテナの第一の部分をアンテナの第二の部分に電気的に接続する。
【００６２】
図１０Ｄは、当該設計の変形例を示している。図１０Ｄに示されているように、接点１０１０は、留め具１０７０の外側面上に設けられ且つそこから外方へ突出していても良い。この実施形態においては、横方向溝１０６０は、図１０Ｅに示されているように、前記外側面と反対側の第二のリストバンド部分１０５２の内側面１０２６上に設けられている。
【００６３】
図１１を参照すると、図１１は、第一のリストバンド部分１１５１と第二のリストバンド部分１１５２とを有するリストバンド１１００を示している。第一のリストバンド部分１１５１の末端には係止タブ１１０２が取り付けられている。係止タブ１１０２は、第一のリストバンド部分１１５１の両端縁に回転可能に取り付けられており且つ第一のリストバンド部分１１５１の長手軸線に対してほぼ垂直である軸線を中心に自由に回転することができる。
【００６４】
雄型電気接点１１１０は、係止タブ１１０２の底面１１１２から外方へ突出している。雄型電気接点１１１０は、その長手軸線が係止タブ１１０２の横方向軸線に対してほぼ平行であるように係止タブ１１０２上で配向されているのが好ましい。
【００６５】
図１１には示されていないけれども、アンテナ１０１５の第一の部分は、第一のリストバンド部分１１５１内に埋め込まれており且つ雄型電気接点１１１０に電気的に接続されている。更に、アンテナ１０１ｆの第二の部分は、第二のリストバンド部分１１５２内に埋め込まれている。第二のリストバンド部分１１５２は、その外側面上に一組の横方向溝１１６０（ａ）〜（ｄ）を有している。各溝１１６０は露出された電気接点１１１１を含んでいる。電気接点１０９０と同様に、各露出された電気接点１１１１は、それ自体がアンテナ部分に直列接続されている容量性構造体に直列に接続されている。従って、当該アンテナ部分は、容量性構造体を経由して各電気接点１１１１に電気的に接続されている。
【００６６】
リストバンド１１００は、リストバンド部分１１５２の末端を留め具１１７０内に挿入し且つ係止タブ１１０２を矢印Ｂの方向に回転させて雄型電気接点１１１０が溝１１６０のうちの一つ内に配置されるようにすることによって対象者の手首に固定されている。リストバンド１１００がこのような方法で固定されるときに、雄型接点１１１０が配置されている溝内の露出された接点１１１１は、雄型接点１１１０を収容し、それによって、アンテナ１０１ｆの第一の部分と第二の部分とを電気的に接続している。
【００６７】
以上、本発明の種々の実施形態／変形例を説明したけれども、これらは例示としてのみ提供されたものであり、限定的なものではないことが理解されるべきである。従って、本発明の広さ及び範囲は、上記した例示的な実施形態のいずれによっても限定されるべきではなく、特許請求の範囲及びその等価物によってのみ規定されるべきである。
【図面の簡単な説明】
【００６８】
【図１】図１は、本発明によるセンサー処理装置１００の一つの好ましい実施形態のブロック図である。
【図２】図２は、本発明によるセンサー処理装置１００の一実施形態を示している図である。
【図３】図３は、本発明の幾つかの実施形態によるリストバンド２０６の頂面図である。
【図４】図４は、本発明の他の幾つかの実施形態におけるリストバンド２０６の頂面図である。
【図５】図５は、リストバンドが対象者の手首に装着された状態のリストバンド２０６の断面図である。
【図６】図６は、図５に示されたリストバンドの回路図である。
【図７Ａ】図７Ａは、本発明の幾つかの実施形態におけるアンテナを示している図である。
【図７Ｂ】図７Ｂは、回路同調部材として別個のインダクタを使用する方法を示している図である。
【図７Ｃ】図７Ｃは、代替的な同調部材を示している図である。
【図８】図８は、センサー読み取り装置を図７Ａに示されているアンテナに接続するための一実施形態によるコネクタを示している図である。
【図９】図９は、本発明の一実施形態によるアンテナによって発生される例示的な電磁場を示す図である。
【図１０Ａ】図１０Ａは、本発明の代替的な実施形態によるリストバンドを示している図である。
【図１０Ｂ】図１０Ｂは、図１０Ａに示されているリストバンドの一部分を示している図である。
【図１０Ｃ】図１０Ｃは、図１０Ａに示されているリストバンドの一部分を示している図である。
【図１０Ｄ】図１０Ｄは、図１０Ａに示されているリストバンドの変形例を示している図である。
【図１０Ｅ】図１０Ｅは、図１０Ａに示されているリストバンドの変形例を示している図である。
【図１１】図１１は、本発明の代替的な実施形態によるリストバンドを示している図である。
【図１２】図１２は、本発明の別の実施形態によるアンテナを示している図である。
【図１３】図１３は、本発明の代替的な実施形態によるリストバンドの断面図である。
【図１】
2008511257.tif 000003
【図２】
2008511257.tif 000004
【図３】
2008511257.tif 000005
【図４】
2008511257.tif 000006
【図５】
2008511257.tif 000007
【図６】
2008511257.tif 000008
【図７Ａ】
2008511257.tif 000009
【図７Ｂ】
2008511257.tif 000010
【図７Ｃ】
2008511257.tif 000011
【図７Ｄ】
2008511257.tif 000012
【図８】
2008511257.tif 000013
【図９】
2008511257.tif 000014
【図１０Ａ】
2008511257.tif 000015
【図１０Ｂ】
2008511257.tif 000016
【図１０Ｃ】
2008511257.tif 000017
【図１０Ｄ】
2008511257.tif 000018
【図１０Ｅ】
2008511257.tif 000019
【図１１】
2008511257.tif 000020
【図１２】
2008511257.tif 000021
【図１３】
2008511257.tif 000022
【国際調査報告】
2008511257.tif 000023
2008511257.tif 000024
2008511257.tif 000025